(57)【特許請求の範囲】
【請求項１】
長尺な包装シートを長手方向に２つ折りにして搬送しつつ、長手方向に間隔を置いて幅方向にシールし、一定袋幅で袋長の異なる分包袋を形成し、該分包袋に薬剤を包装する薬剤分包機のシール装置において、
前記分包袋の各袋長毎に標準袋に収容可能な標準薬剤の最大薬剤量に対する各袋長の分包袋に収容可能な標準薬剤の最大薬剤量の比率である対標準比率を記憶した分包袋長設定ファイルと、前記標準袋に収容可能な他の薬剤の最大薬剤量を記憶した分包袋内薬剤量設定ファイルとが格納される記憶手段と、
処方データ中、服用時期毎の薬剤の種類及び量に基づいて、前記分包袋内薬剤量設定ファイルから標準袋に収容可能な当該薬剤の最大薬剤量を読み込むと共に該薬剤の標準袋への収容率を算出し、当該標準袋への収容率と、前記分包袋長設定ファイルに設定した対標準比率とに基づいて袋長を決定することにより、前記薬剤を前記袋長の分包袋に包装させる制御手段とを備えたことを特徴とする薬剤分包機のシール装置。
【請求項２】
前記記憶手段に記憶した各ファイルのデータは、入力手段により変更可能としたことを特徴とする請求項１に記載の薬剤分包機のシール装置。
【請求項３】
前記分包袋の袋長を、演算結果の最大値に統一して全分包袋を形成することを特徴とする請求項１又は２に記載の薬剤分包機のシール装置。
【発明の詳細な説明】
【０００１】
【発明の属する技術分野】
本発明は、病院、調剤薬局等の医療機関で使用される薬剤分包機のシール装置に関するものである。
【０００２】
【従来の技術】
従来、薬剤分包機では、分割された各薬剤をシール装置を用いて熱溶着性の包装シートに包装するようにしている。
【０００３】
このような錠剤分包機のシール装置として、例えば、分包袋の大きさを自由に変更できるようにしたもの（例えば、特開平８―２３０８３２号公報参照）や、分包する錠剤の体積に応じて分包袋の大きさを変更可能としたもの（例えば、特開平９―２０２３０１号公報参照）が公知である。
【０００４】
【発明が解決しようとする課題】
しかしながら、錠剤の体積を演算した結果に基づいて分包袋の大きさを決定する場合、薬剤毎にデータが必要であり、実際には採用が困難である。すなわち、薬剤の種類には、錠剤、カプセル剤、散剤等があり、その各々についても楕円、六角形等、多数の形態が存在し、その大きさも異なるため、必要なデータ量が膨大となるからである。しかも、各分包袋に複数個あるいは複数種の薬剤を包装する場合、デッドスペース等も考慮しなければならず、単純に各薬剤の体積のみに基づいて分包袋のサイズを演算することは非常に難しい。このため、包装結果を見て、薬剤の形状、大きさ、組み合わせの違いによる体積情報の設定の仕方についてノウハウを蓄積しなければならず、そのために要する労力が過大である。また、このような分包袋のサイズの決定方法は、制御プログラムを変更しなければ変更できないため、包装する薬剤の種類や量の違いに対して柔軟に対応できない。しかも、制御プログラム自体は、ＲＯＭに記憶されているため、その交換作業が必要となる。
【０００５】
また、包装後、各分包袋に包装した薬剤の種類及び量の確認作業が必要となるが、「朝」、「昼」、「夕」等の服用時期毎に各分包袋の長さが相違する場合、その確認がしづらい。また、長尺な一連の分包袋を薬袋に収容する場合、折り曲げ容易なミシン目の位置が一定位置になく、ずれているため、折り曲げにくく、作業性が悪い。ミシン目以外の箇所で折り曲げられた場合、誤ってその折り曲げ箇所で切り離す恐れもある。
【０００６】
そこで、本発明は、簡単に、分包袋を分包する薬剤の種類及び量に応じた袋長とできる薬剤分包機のシール装置を提供することを課題とする。
【０００７】
【課題を解決するための手段】
本発明は、前記課題を解決するための手段として、長尺な包装シートを長手方向に２つ折りにして搬送しつつ、長手方向に間隔を置いて幅方向にシールし、一定袋幅で袋長の異なる分包袋を形成し、該分包袋に薬剤を包装する薬剤分包機のシール装置において、
前記分包袋の各袋長毎に標準袋に収容可能な標準薬剤の最大薬剤量に対する各袋長の分包袋に収容可能な標準薬剤の最大薬剤量の比率である対標準比率を記憶した分包袋長設定ファイルと、前記標準袋に収容可能な他の薬剤の最大薬剤量を記憶した分包袋内薬剤量設定ファイルとが格納される記憶手段と、
処方データ中、服用時期毎の薬剤の種類及び量に基づいて、前記分包袋内薬剤量設定ファイルから標準袋に収容可能な当該薬剤の最大薬剤量を読み込むと共に該薬剤の標準袋への収容率を算出し、当該標準袋への収容率と、前記分包袋長設定ファイルに設定した対標準比率とに基づいて袋長を決定することにより、前記薬剤を前記袋長の分包袋に包装させる制御手段とを備えたものである。
【０００８】
前記記憶手段に記憶した各ファイルのデータは、入力手段により変更可能とするのが好ましい。
【０００９】
前記分包袋の袋長は、演算結果の最大値に統一して全分包袋を形成するようにしてもよい。
【００１０】
【発明の実施の形態】
以下、本発明の実施形態を添付図面に従って説明する。
【００１１】
図１は、本実施形態に係る薬剤分包機のシール装置を示すブロック図である。このシール装置は、大略、薬剤分割包装機構部１、記憶装置２、中央処理装置３（ＣＰＵ）及び入出力装置４から構成され、ＣＰＵ３にはホストコンピュータ５が接続されている。
【００１２】
薬剤分割包装機構部１は、図２に示すように、包装シート６の搬送路に設けられたシート幅方向加熱用の一対の横加熱用ヒートローラ１１と、シート側縁加熱用の一対の縦加熱用ヒートローラ１２とからなる。横加熱用ヒートローラ１１は、扇形に形成された横加熱面１３と直線状に形成された送り面１４とを有している。また、各ローラ１１，１２は、歯車による伝達機構を介してそれぞれ駆動モータ１５に接続されている。薬剤分割包装機構部１では、横加熱用ヒートローラ１１の各送り面１４を対向させて、縦加熱用ヒートローラ１２を回転した後、横加熱用ヒートローラ１１の各横加熱面１３を対向させてシールを行うことにより、シールを行うまでの包装シート６の移動量を適宜調整して薬剤分包の大きさを変更できる。このとき、横加熱用ヒートローラ１１の横加熱面に設けたミシン刃１６により、シールされた薬剤分包に対してミシン目を形成可能である（必要であれば、特開平８―２３０８３２号公報，特開平９―２０２３０１号公報参照）。
【００１３】
記憶装置２には、薬剤マスタファイル、患者マスタファイル、用法マスタファイル、診療科マスタファイル、医師マスタファイル、分包袋長設定ファイル、分包袋内薬剤量設定ファイルが含まれる。なお、この記憶装置２を独立したサーバ装置とし、ＣＰＵ３とネットワーク接続したクライアントサーバ構成としてもよい。
【００１４】
薬剤マスタファイルは、薬剤名を薬剤コードと共に格納したものである。ここで、薬剤コードとは、薬剤の略称から濁点を除いて縮めたような薬剤毎に特有の記号を意味する。たとえば、「錠剤Ａ（ジョウザイエー）」は「シヨウエ」として使用されている（図６参照）。なお、１つの処方No.に対して薬剤コードを２以上設定しておいてもよい。
【００１５】
患者マスタファイルは、患者名を患者コードと共に格納したものである。
【００１６】
用法マスタファイルは、薬剤の用法を用法コードと共に格納したものである。ここで、用法コードとは、各用法に対応して決定したもので、例えば、「分３朝、昼、夕食後（３回に分けて朝、昼及び夕食後に服用する意味）」に対して用法コードは３０１としている。
【００１７】
診療科マスタファイルは、診療科の種類を診療科コードと共に格納したものである。
【００１８】
医師マスタファイルは、医師名を医師コードと共に格納したものである。
【００１９】
分包袋長設定ファイルは、表１に示すように、標準袋の指定、袋長、最大薬剤量及び対標準比率Ｒの各欄で構成されている。標準袋の指定欄は、複数設定した袋長のうち、標準とするものを択一的に選択するために使用される。袋長は、分包袋７の長さ寸法を示し、表１では、１０mm単位で５段階に設定してある。最大薬剤量の欄は、各袋長の分包袋７に収容可能な標準薬剤の最大量を示すもので、実際に標準薬剤を分包袋７に収容することにより簡単に求めることができる。錠剤であれば個数、散剤であれば重量（ｇ数）で示される。ここで、標準薬剤とは、使用される薬剤のうち、平均的と考えられる実際の薬剤を意味する。対標準比率Ｒとは、標準袋として指定された袋長の分包袋７に収容可能な標準薬剤の最大薬剤量に対する各袋長の分包袋７に収容可能な標準薬剤の最大薬剤量の比率を意味する。
【００２０】
【表１】
0004312303.tif 000002
【００２１】
分包袋内薬剤量設定ファイルは、表２に示すように、前記標準袋に収容可能な各薬剤コードに対応した薬剤量を設定したものである。
【００２２】
【表２】
0004312303.tif 000003
【００２３】
入出力装置４としては、キーボード８、マウス９、ＣＲＴディスプレイ１０等が含まれる。
【００２４】
ＣＰＵ３は、前記入出力装置４からの入力信号や、前記記憶装置２に記憶したデータに基づいて薬剤分割包装機構部１を駆動制御することにより、薬剤を各分包袋７に包装させる。
【００２５】
なお、ホストコンピュータ５は、シール装置に処方データ等の信号をやり取りする。
【００２６】
次に、前記シール装置でのシール処理を図３ないし図５のフローチャートに従って説明する。
【００２７】
まず、処方データを読み込む（ステップＳ１）。この処方データは、ホストコンピュータ５からのデータ受信や、入出力装置４からの入力操作により得られるものである。この場合、ＣＲＴディスプレイ１０には、図６に示すフォーマットが表示され、ホストコンピュータ５から処方データを受信すると、さらにその処方データの内容が追加表示される。但し、ホストコンピュータ５からの受信データは、通信データ量を抑えるため、各種コードのみで構成され、各種コードに基づいて記憶装置２に格納した各種マスタファイルから薬剤名データ等の読み出し処理が行われる。例えば、受信データに薬剤コードとして「シヨウエ」が含まれている場合、記憶装置２の薬剤マスタファイルから薬剤名「錠剤Ａ」が読み出される。
【００２８】
なお、表示されたデータは、入出力装置４のキーボード８やマウス９を利用して簡単に修正や追加等をすることができるようになっている。例えば、「服用時期」の欄で、「朝」の前に「起床時」を追加したり、「寝る前」の後に「夜中」を追加したり、１日を３時間や４時間毎に区切って１回目、２回目、…と修正することも可能である。
【００２９】
また、図６の画面で、「新規入力」ボタンをクリックすれば、表示中の処方データは後回しとなり、新たに処方データを入力することも可能である。この場合も、例えば、患者番号「93026671」を入力すれば、患者名、性別、生年月日が患者マスタファイルから読み込まれて表示される。年齢は、生年月日と今日の日付から自動計算される。
【００３０】
本実施形態では、「朝」、「昼」、「夕」、「寝」の４つの服用時期について分包袋７の袋長Ｌ１，Ｌ２，Ｌ３，Ｌ４を決定し（ステップＳ２，３，４，５）、次に、各袋長Ｌ１，Ｌ２，Ｌ３，Ｌ４で分包袋７のシール処理を行い（ステップＳ６）、以上のステップを処方データが終了するまで繰り返す（ステップＳ７）。
【００３１】
各服用時期の袋長演算処理は、図４のフローチャートに示すように、まず、標準袋への収容率Ｓをリセット（Ｓ＝０）する（ステップＳ１１）。そして、処方データから服用時期に対応する薬剤コードを読み込む（ステップＳ１２）。
【００３２】
続いて、記憶装置２の分包袋長設定ファイルに格納したデータから、前記薬剤コードに対応した薬剤の標準袋に収容可能な最大薬剤量Ｍを読み込む（ステップＳ１３）。また、処方データから服用時期の薬剤量Ｑを読み込む（ステップＳ１４）。そして、次式に従って順次標準袋への収容率を加算し、合計値Ｓを算出する（ステップＳ１５）。
【００３３】
【数１】
Ｓ＝Ｓ＋Ｑ／Ｍ
【００３４】
この演算は、ホストコンピュータ５から読み込まれる全薬剤コードについて行う（ステップＳ１６）。なお、全薬剤コードについて、標準袋への収容率の合計値Ｓを演算するようにしたのは、分包袋７には複数種の薬剤が収容される場合があることがその理由である。
【００３５】
具体的に、表３に示すように、服用時期「朝」に、錠剤Ａに１錠、錠剤Ｂに２錠処方する場合、錠剤Ａの標準袋への最大薬剤量は３０、錠剤Ｂでは２０であるので、標準袋への収容率は、それぞれ1/30、2/20となる。したがって、その合計値は1/30＋2/20＝0.133となる。同様にして、服用時期「昼」、「夜」及び「寝」についても標準袋への収容率の合計を算出し、合計値0.033、0.433及び0を得る。
【００３６】
【表３】
0004312303.tif 000004
【００３７】
このようにして標準袋への収容率の合計値Ｓが演算されれば、この合計値Ｓが０か否かを判断する（ステップＳ１７）。合計値Ｓが０であれば、該当する服用時期での分包そのものがないことになるので、袋長を０とする（ステップＳ１９）。したがって、服用時期「寝」では袋長Ｌ４は０となる。一方、合計値Ｓが所定の値となっていれば、図５のフローチャートに従って次のようにして分包袋７の袋長決定処理を行う（ステップＳ１８）。
【００３８】
分包袋７の袋長決定処理では、設定した対標準比率Ｒのうち、最も小さい値を読み込み（ステップＳ２１）、その対標準比率Ｒが前述のようにして演算した標準袋への収容率の合計値Ｓ以上であるか否かを判断する（ステップＳ２２）。この判断は、対標準比率Ｒが標準袋への収容率の合計値Ｓ以上となるまで続行する（ステップＳ２３，２４）。そして、対標準比率Ｒが標準袋への収容率の合計値Ｓ以上となれば、そのときの対標準比率Ｒに対応する袋長に決定する（ステップＳ２５）。服用時期「朝」及び「昼」では、標準袋への収容率の合計値Ｓが0.133及び0.033で、最小値0.250よりも小さいため、袋長Ｌ１，Ｌ２を５０mmとする。一方、服用時期「夜」では、標準袋への収容率の合計値Ｓが0.433で、対標準比率Ｒの0.250から0.500の間にあるので、袋長Ｌ３を６０mmとする。
【００３９】
なお、前記実施形態では、袋長を収容する薬剤に応じて決定するようにしたが、演算結果の最大値に統一するようにしてもよい。これによれば、薬袋への収容を、一定位置にある折曲げ容易なミシン目を利用して効率的に行うことが可能となる。
【００４０】
【発明の効果】
以上の説明から明らかなように、本発明に係る薬剤分包機のシール装置によれば、服用時期毎の薬剤の種類及び量に基づいて算出した対標準比率により袋長を決定するようにしたので、従来のように、膨大なデータ量や複雑な計算が不要となり、簡単な構成とすることができる。また、薬剤の種類や量の変更に対しても、該当するデータを変更するだけで簡単かつ柔軟に対応することができる。
【００４１】
また、演算結果、得られた最大値に統一して全分包袋を形成するようにしたので、包装した薬剤の確認がしやすい上、薬袋に収容する場合でも、作業効率良く行うことができる。
【図面の簡単な説明】
【図１】  本実施形態に係るシール装置のブロック図である。
【図２】  図１の薬剤分割包装機構部を示す斜視図である。
【図３】  本実施形態に係る分包シール処理を示すフローチャートである。
【図４】  図３の袋長演算処理を示すフローチャートである。
【図５】  図４の袋長決定処理を示すフローチャートである。
【図６】  図１のＣＲＴディスプレイに表示された処方データの入力画面である。
【符号の説明】
１…薬剤分割包装機構部
２…記憶装置
３…ＣＰＵ
４…入出力装置
５…ホストコンピュータ
６…包装シート
７…分包袋
８…キーボード
９…マウス
１０…ＣＲＴディスプレイ
【図１】
0004312303.tif 000005
【図２】
0004312303.tif 000006
【図３】
0004312303.tif 000007
【図４】
0004312303.tif 000008
【図５】
0004312303.tif 000009
【図６】
0004312303.tif 000010